(57)【特許請求の範囲】
【請求項１】
底壁部（１１）及び該底壁部（１１）に周設された周壁部（１２）を有して成るベース部（１０）と、前記周壁部（１２）に組み付けられて前記ベース部（１０）を被嵌する透明又は半透明から成る蓋体（２０）と、前記蓋体（２０）を介して視認される所定のキャラクター（２３）と、を有して成る注出ノズルであって、
ベース部（１０）を、容器本体（１）側のヘッドノズル（３）の先端に対して直接的又は間接的に連結される連結部（１３）と、内容液（Ｌ）を外部に向けて注出するノズル部（１４）と、前記周壁部（１２）と所定の間隔を有しつつ前記周壁部（１２）に沿って延設される内壁部（１５）と、該内壁部（１５）と前記周壁部（１２）との間に配置されると共に前記連結部（１３）と連通する流路（１６）と、該流路（１６）と前記ノズル部（１４）との間で且つ前記キャラクター（２３）と対向する位置に配置されると共に前記流路（１６）から流入する内容液（Ｌ）を一時的に貯留する液溜部（１７）と、を有して形成すると共に、前記ベース部（１０）を前記内容液（Ｌ）が有する色を除く色で着色し、且つ前記キャラクター（２３）及び該キャラクター（２３）の外側の周辺部（２５）を前記ベース部（１０）と同系色で配色したことを特徴とする注出ノズル。
【請求項２】
平板状の底壁部（１１）を周壁部（１２）の高さ方向の半分の高さ位置に形成し、底壁部（１１）を挟んで対向する底壁部（１１）の表裏両面に内壁部（１５）及び流路（１６）を形成すると共に、前記底壁部（１１）の表裏両面を蓋体（２０）で被嵌する構成とした請求項１記載の注出ノズル。
【請求項３】
底壁部（１１）の縁部を注入路（１３ａ）側の分流部（１３ｂ）に対向させると共に、底壁部（１１）の他の縁部を注出路（１４ａ）側の合流部（１４ｂ）に対向させた請求項２記載の注出ノズル。
【請求項４】
キャラクター（２３）を、複数の凸片（２３ａ）、複数の輪郭壁（２３ｂ）及び外枠（２３ｃ）を有して成るカートリッジ（２３Ａ）で形成し、ベース部（１０）内に着脱可能とした請求項１乃至３のいずれか一項に記載の注出ノズル。
【請求項５】
内壁部（１５）に、流路（１６）と液溜部（１７）との間を連結する欠損壁部（１８）を設けた請求項１乃至４のいずれか一項に記載の注出ノズル。
【発明の詳細な説明】
【技術分野】
【０００１】
本発明は、例えばポンプ式容器等のヘッドノズルの先端に取り付けて使用される注出ノズルに関する。
【背景技術】
【０００２】
一般に、注出容器としてのポンプ式容器は、容器本体の内側に内容液が注入されるとともに、容器本体の上端部に設けたヘッド部を押圧操作することにより、容器本体内に設けられたポンプ部が吸い上げた内容液をヘッドノズルから注出するような構成となっている。
【０００３】
これらの商品を展開するに際しては、例えば、容器本体の側面にテレビアニメのキャラクター、愛玩具、動物等のデザインを印刷したり、例えば、特許文献１に示すような、ヘッド部にそのようなキャラクターを模したヘッドカバーを装着したりして意匠的な趣向を凝らし、購入者の興味を引くようにするといった手法が用いられてきた。
【先行技術文献】
【特許文献】
【０００４】
【特許文献１】特開２００４−２６８９９７号公報
【発明の概要】
【発明が解決しようとする課題】
【０００５】
しかし、上記のようなデザインやヘッドカバーを施すことは購入時の動機付けになったとしても、使用時に継続的に使用者の知的好奇心を刺激するには至らず、すぐに飽きられてしまうという問題があった。
【０００６】
本発明はこのような事情に鑑みてなされたものであり、内容液が流れる様子を外部から視認できるようにすることにより、使用時における使用者の知的好奇心を刺激し、面白味を倍加させることを可能とする注出ノズルを創出することを課題とする。
【課題を解決するための手段】
【０００７】
上記課題を解決するための手段のうち、本発明の主たる手段は、
底壁部及び底壁部に周設された周壁部を有して成るベース部と、周壁部に組み付けられてベース部を被嵌する透明又は半透明から成る蓋体と、蓋体を介して視認される所定のキャラクターと、を有して成る注出ノズルであって、
ベース部には、容器本体側のヘッドノズルの先端に対して直接的又は間接的に連結される連結部と、内容液を外部に向けて注出するノズル部と、周壁部と所定の間隔を有しつつ周壁部に沿って延設される内壁部と、この内壁部と周壁部との間に配置されると共に連結部と連通する流路と、この流路とノズル部との間で且つキャラクターと対向する位置に配置されると共に流路から流入する内容液を一時的に貯留する液溜部と、を有して形成すると共に、ベース部を内容液が有する色を除く色で着色し、且つキャラクター及びキャラクターの外側の周辺部をベース部と同系色で配色したことを特徴とする、と云うものである。
【０００８】
本発明の主たる手段では、液溜部を泡状の内容液で満たすと、キャラクターが浮き上がって見えることを達成し得る。
【０００９】
また本発明の他の手段は、本発明の主たる手段に、平板状の底壁部を周壁部の高さ方向の半分の高さ位置に形成し、底壁部を挟んで対向する底壁部の表裏両面に内壁部及び流路を形成すると共に、底壁部の表裏両面を蓋体で被嵌する構成とした、との構成を加えたものである。
【００１０】
上記手段では、注出ノズルの表裏両面において、キャラクターの浮き上がりを視認し得る。
【００１１】
また本発明の他の手段は、上記手段に、底壁部の縁部を注入路側の分流部に対向させると共に、底壁部の他の縁部を注出路側の合流部に対向させた、との構成を加えたものである。
【００１２】
上記手段では、内容液を、注出ノズルの表裏両面に均等に分流させることを達成し得ると共に、分流した内容液を合流させることにより、内容液を一つの注出ノズルから注出させることを達成し得る。
【００１３】
また本発明の他の手段は、上記いずれかの手段に、キャラクターを、複数の凸片とこれらを連結する連結壁とを有して成るカートリッジで形成し、ベース部内に着脱可能とした、との構成を加えたものである。
【００１４】
上記手段では、キャラクターのバリエーションの増大と好みのキャラクターへの交換を達成し得る。
【００１５】
また本発明の他の手段は、上記いずれかの手段に、内壁部に、流路と液溜部との間を連結する欠損壁部を設けた、との構成を加えたものである。
【００１６】
上記手段では、液溜部に溜まった内容液の一部を流路内に戻すことを達成し得る。
【発明の効果】
【００１７】
本発明の注出ノズルでは、注出ノズル内を流れる内容液の様子を、浮き上がって見えるキャラクターと共に視覚的に認識することが可能となるため、使用時における使用者の知的好奇心を刺激し、面白味を倍加させることができる。
【図面の簡単な説明】
【００１８】
【図１】本発明の第１実施例として注出ノズルを容器本体に装着した状態を示す側面図である。
【図２】注出ノズルの分解斜視図である。
【図３】蓋体を外した状態の注出ノズルと容器本体側のヘッドノズルとの部分断面図である。
【図４】本発明の第２実施例を示す斜視図である。
【発明を実施するための形態】
【００１９】
以下、本発明の実施の形態について図面を参照しつつ説明する。
図１は本発明の第１実施例として注出ノズルを容器本体に装着した状態を示す側面図、図２は注出ノズルの分解斜視図、図３は蓋体を外した状態の注出ノズルと容器本体側のヘッドノズルとの部分断面図である。
なお、以下の説明においては、容器本体１側のヘッド部２を押圧する方向を下方、これと逆側となる方向を上方とし、ベース部１０に対してノズル部１４が設けられた方向を前方、これと逆側となる方向を後方とし、底壁部１１が厚みを有する方向を高さ方向として説明する。
【００２０】
先ず、注出ノズルの構成について説明する。
図１乃至図３に示す注出ノズルＡは、例えば内容液Ｌが充填されている容器本体１側の上部に設けられたヘッド部２から延びるヘッドノズル３の先端に組み付けられて使用されるものである。ヘッド部２は、下記に示すようなそれ自体を下方に押し込むことにより内容液がヘッドノズル３から注出される押し込み式であっても良いし、あるいはレバーを把持することにより内容液がヘッドノズル３から注出されるレバー式であっても良い。
【００２１】
注出ノズルＡは、例えば図２に示すように、略楕円平板状の底壁部１１の周囲に周壁部１２が周設されて成る合成樹脂製のベース部１０と、周壁部１２の端部に嵌合的に組み付いてベース部１０を被嵌する蓋体２０とを有して構成されている。
ベース部１０を構成する周壁部１２の下方の位置には、容器本体１側のヘッドノズル３の先端に連結される連結部１３が設けられている。この連結部１３の内側には注入路１３ａが形成され、この注入路１３ａの末端は周壁部１２に開口形成された分流部１３ｂとなっている。注入路１３ａは、この分流部１３ｂを介して後述する底壁部１１の表裏両面に設けられた流路１６に連通している。
【００２２】
また周壁部１２の前方の位置は内容液Ｌを外部に向けて突出するノズル部１４が形成されている。ノズル部１４の内部には注出路１４ａが形成されており、この注出路１４ａの始端は周壁部１２に開口形成された流出路１４ａとされている。は、この合流部１４ｂを介して後述する底壁部１１の表裏両面に設けられた液溜部１７に連通している。
【００２３】
ここで、底壁部１１は周壁部１２の半分の高さ位置に設けられており、底壁部１１を挟んで対向する底壁部１１の表側と裏側とは同様の構成となっている。
すなわち、底壁部１１の表裏両面の底壁部１１上には略Ｊ字形状からなる内壁部１５が夫々設けられている。この内壁部１５の一端は分流部１３ｂの上部近傍の位置に設けられ、内壁部１５の他端は周壁部１２と所定の間隔を有しつつ周壁部１２に沿って斜め上方に向かって延設されている。そして、内壁部１５と周壁部１２との間には略Ｊ字細溝状の流路１６が夫々設けられている。また流路１６の端部１６ａを抜けた前方の位置には、内容液Ｌを一時的に貯留する液溜部１７が夫々設けられており、これら液溜部１７は合流部１４ｂに直結している。
【００２４】
底壁部１１は、その縁部が注入路１３ａの末端である分流部１３ｂ及び注出路１４ａの始端である合流部１４ｂの高さ方向の各幅を２分するように配置されている。これにより、分流部１３ｂは注入路１３ａから底壁部１１の表裏両面に設けられた流路１６へ流れる内容液Ｌを均等に分流させることが可能となっている。また合流部１４ｂは、底壁部１１の表裏両面に設けられた液溜部１７から注出路１４ａに流れる内容液Ｌを合流させることで、一つのノズル部１４から注出させることが可能となっている。
【００２５】
蓋体２０は透明又は半透明から成る合成樹脂、ガラス等の様々な材料で形成され、装飾天板２１と、その内側に略Ｃ字壁状に形成された嵌合リブ２２とを有して構成されている。装飾天板２１は印刷等によって描かれた所定のキャラクター（本実施例ではパンダの絵柄）２３で装飾されており、購入者の購買意欲を刺激することが可能となっている。
このような蓋体２０の嵌合リブ２２を表裏両面に設けられたベース部１０の周壁部１２に夫々組み付けて嵌合させることにより、ベース部１０の表裏両面を夫々被嵌することが可能となっている。そして、図１に示すように注出ノズルＡを目視することにより、キャラクター２３の絵柄と注出ノズルＡの内部の様子とを一緒に視認することが可能となっている。
【００２６】
ここで、ベース部１０を構成する底壁部１１及び周壁部１２は成形可能な樹脂等、様々な材料で形成することが可能であり装飾模様の視認性の観点から、内容液Ｌが有する色を除いた色が好ましく、より好ましくは白色以外の色で且つ内容液Ｌが有する色を除いた色を用いることが好ましい。より具体的には、底壁部１１及び周壁部１２を、例えば、黒色又は濃紺色等に着色しておくと、液溜部１７が泡状の内容物Ｌで満たされたときにキャラクター２３の絵柄を視認し易くすることができる。
特に、装飾天板２１上のキャラクター２３を除く絵柄の周辺部をベース部１０と同系色で配色し、更に装飾天板２１上のキャラクターをベース部１０と同系色で配色（本実施例ではパンダの絵柄の耳、目、鼻、手および足）しておくと、液溜部１７が泡状の内容物Ｌで満たされたときに、泡状の背景色からキャラクター２３が浮き上がって見え、視認性をより際立たせることができる点で好ましい。
【００２７】
例えば、蓋体２０側の装飾天板２１の内面に、キャラクター２３をベース部１０と同系色で印刷すると共に、装飾天板２１の内面のキャラクター２３の外側の縁取り部２４については印刷せずに装飾天板２１自体の透明又は半透明な状態として残し、さらに透明又は半透明から成る縁取り部２４よりも外側の周辺部２５の全体をベース部１０と同系色に印刷することで形成することができる。
また装飾天板２１に対する配色は、装飾天板２１の内面に直接印刷する方法以外であってもよく、例えば蓋体２０の成形時に、黒色又は濃紺色等を用いてキャラクター２３及び周辺部２５を印刷したフィルムを装飾天板２１の内面にインサートすることにより配色しても良い。
【００２８】
次に注出ノズルの使用方法について説明する。
図１及び図３に示すように、ベース部１０の両側に蓋体２０を組み付けた注出ノズルＡは、容器本体１側のヘッド部２のヘッドノズル３の先端にジョイント３０を介して取り付けられる。
ジョイント３０は両端に連結部を備えた管状の部材であり、一方の連結端３１をヘッドノズル３の先端に挿入し、他方の連結端３２を注出ノズルＡ側の注入路１３ａに挿入することにより、注出ノズルＡの注入路１３ａと容器本体１側のヘッド部２のヘッドノズル３の先端との間を連結することが可能となっている。
【００２９】
注出ノズルＡがヘッドノズル３の先端に装着された状態にあるヘッド部２を押圧操作し、又はレバーを引く操作をして使用すると、内容液Ｌは図示しないパイプを介して容器本体１内から吸い上げられ、発泡部材により発泡させた後、ヘッドノズル３及ジョイント３０を介して注出ノズルＡ内に泡状の内容液Ｌとして注出され、さらに注出ノズルＡのノズル部１４からも泡状の内容液Ｌが注出されることになる。
【００３０】
この際、泡状の内容液Ｌは、連結部１３の注入路１３ａを介して注出ノズルＡ内に至り、分流部１３ｂにおいて二手に分かれて表裏両面に設けられた流路１６に夫々注出される。さらに泡状の内容液Ｌは、これら略Ｊ字細溝状の流路１６に沿って案内されて上昇し、流路１６の端部１６ａ（内壁部１５の上端）から下方の液溜部１７に向けて降り注ぐようにして注出され、この液溜部１７において一時的に貯留される。これにより、泡状の内容液Ｌを液溜部１７内の隅々まで充分に行き渡らせることができ、特に装飾天板２１に配置されたキャラクター２３の背後を泡で充満させることが可能となる。そして、液溜部１７内が泡状の内容液Ｌで満たされると、泡状の内容液Ｌは前方のノズル部１４側に押し出され、表裏両面の液溜部１７に貯留されている泡状の内容液Ｌが合流部１４ｂにおいて合流し、注出路１４ａを介してノズル部１４の先端から外部に注出されることになる。
このように、底壁部１１上に内壁部１５を周壁部１２に沿って形成して流路１６を配することにより、注出ノズルＡ内を泡状の内容液Ｌで充分に満たすことが可能となる。
【００３１】
そして、使用時に透明又は半透明に形成された装飾天板２１を介して注出ノズルＡ内を覗くことにより、注出ノズルＡの液溜部１７内を移動する泡状の内容液Ｌの様子を目視することができる。
この構成では、液溜部１７内が泡状の内容液Ｌで満たされていないときには、液溜部１７、装飾天板２１の内面のキャラクター２３、透明又は半透明から成る縁取り部２４及び周辺部２５は全て黒色又は濃紺色等に見えるためキャラクター２３自体が目立つことはない。しかしながら、液溜部１７内が泡状の内容液Ｌで満たされたときには、透明又は半透明から成る縁取り部２４から白色から成る泡状の内容液Ｌが見えるようになることから、縁取り部２４の内側に位置するキャラクター２３が浮き上がって視認されることになる。
【００３２】
また図３に示すように、内壁部１５の一部に流路１６と液溜部１７との間を連結する欠損壁部１８を形成しても良い。この構成では、液溜部１７内に溜まっている泡状の内容液Ｌの一部を、欠損壁部１８を介して流路１６に戻すことができるため、内容液Ｌを効率良く注出することができる。
【００３３】
図４は本発明の第２実施例を示す斜視図である。
上記第１実施例では、表裏の蓋体２０にキャラクター２３を印刷した場合を示して説明したが、以下の第２実施例に示すように、ベース部１０の底壁部１１内に、キャラクター２３を模したカートリッジ２３Ａを着脱可能に嵌め込む構成としても良い。なお、その他の構成及び効果は上記第１実施例と同様である。
【００３４】
具体的には、キャラクター（本実施例ではパンダの絵柄）２３は、耳、目、鼻、手および足等の部位を形成する複数の凸片２３ａと、キャラクター２３の顔、胴部等の輪郭を形成する複数の輪郭壁２３ｂと、これら凸片２３ａ及び輪郭壁２３ｂを連結した状態でベース部１０内にセットする外枠２３ｃとを有して形成されている。耳、目、鼻、手および足等の部位を形成する複数の凸片２３ａの表面と、顔、胴部等の輪郭を形成する複数の輪郭壁２３ｂの表面はベース部１０と同系色に配色されている。
また蓋体２０は、キャラクター２３と対向する装飾天板２１内面側の内縁２５ａよりも内側に位置する内領域２５ｂは、装飾天板２１自体の透明又は半透明な状態として残し、内縁２５ａよりも外側となる周辺部２５をベース部１０と同系色に配色している。
【００３５】
第２実施例に示す構成では、カートリッジ２３Ａの外枠２３ｃを液溜部１７内に嵌め込むと、キャラクター２３を構成する複数の凸片２３ａ及び輪郭壁２３ｂの表面が、装飾天板２１内面に接する状態で配置されるようになっており、凸片２３ａ及び輪郭壁２３ｂの裏面とこれに対向する底壁部１１との間を泡状の内容液Ｌが通過できるようになっている。つまり泡状の内容液Ｌは、複数の凸片２３ａ及び輪郭壁２３ｂの下を移動することで、キャラクター２３を模したカートリッジ２３Ａを有する液溜部１７内を自由に移動することが可能となっている。
なお、装飾天板２１内面の内領域２５ｂに、キャラクター２３を構成する複数の凸片２３ａ及び輪郭壁２３ｂの表面が接した状態にある注出ノズルＡを、蓋体２０の外側から覗くと、凸片２３ａ及び輪郭壁２３ｂの外側と内縁２５ａの内側との間に上記同様に透明又は半透明から成る縁取り部（図示せず）が形成されることになる。
【００３６】
そして、この構成においても、液溜部１７内が泡状の内容液Ｌで満たされていないときには、液溜部１７、カートリッジ２３Ａを構成するキャラクター２３、装飾天板２１の透明又は半透明から成る内領域２５ｂ及び周辺部２５は全て黒色又は濃紺色等に見えるためキャラクター２３自体が目立つことはない。しかしながら、液溜部１７内が泡状の内容液Ｌで満たされたときには、凸片２３ａ及び輪郭壁２３ｂと内縁２５ａとの間に形成される透明又は半透明から成る縁取り部から上記同様に白色から成る泡状の内容液Ｌが見えるようになることから、内領域２５ｂ内に配置されたキャラクター２３が浮き上がって視認されるようになる。
【００３７】
また第２実施例に示す構成では各種のキャラクター２３をカートリッジ２３Ａ化することにより、ベース部１０内に容易にセットすること、及びキャラクター２３のデザインを変更することでバリエーションを容易に増大させることが可能となる。このため好みのキャラクター２３を有するカートリッジ２３Ａに交換することで、使用時における使用者の知的好奇心をさらに刺激し、より面白味を倍増させることが可能となる。
【００３８】
以上、上記各実施例に沿って本発明の構成とその作用効果について説明したが、本発明の実施の形態は上記実施例に限定されるものではない。
【００３９】
例えば、上記各実施例では、ベース部１０の表裏両面に蓋体２０を夫々設ける構成を示して説明したが、本発明はこれに限られるものではなく、一方の面だけに蓋体２０を設ける構成としても良い。
【００４０】
また、上記各実施例では、表裏の蓋体２０に同じキャラクターを描いた例を示して説明したが、本発明はこれに限られるものではなく、蓋体２０に描くキャラクターは蓋体２０の表裏で異なるものであっても良い。このような蓋体２０は交換可能であるため、様々なキャラクターの蓋体２０を使用することにより、注出ノズルＡとしてのバリエーションを増大させることで、さらに購入者の購入意欲を高めることが可能となる。
【００４１】
また、上記各実施例では、ジョイント３０を用いて注出ノズルＡの注入路１３ａと容器本体１側のヘッド部２のヘッドノズル３の先端とを間接的に連結する構成を示して説明したが、ジョイント３０を注出ノズルＡの注入路１３ａに一体に形成し、注出ノズルＡの注入路１３ａとヘッドノズル３の先端とを直接的に連結する構成としても良い。さらにはヘッドノズル３の先端に注出ノズルＡのベース部１０が一体的に形成される構成としても良い。
【００４２】
また上記各実施例では内容液Ｌの状態として泡状の場合を示して説明したが、内容液Ｌの状態は泡状に限られるものでない。
【産業上の利用可能性】
【００４３】
本発明の注出ノズルは、注出時における面白味を倍加させて付加価値を高めるノズルの分野における用途展開をさらに広い領域で図ることができる。
【符号の説明】
【００４４】
１    ：  容器本体
２    ：  ヘッド部
３    ：  ヘッドノズル
１０  ：  ベース部
１１  ：  底壁部
１２  ：  周壁部
１３  ：  連結部
１３ａ：  注入路
１３ｂ：  分流部
１４  ：  ノズル部
１４ａ：  注出路
１４ｂ：  合流部
１５  ：  内壁部
１６  ：  流路
１６ａ：  流路の端部
１７  ：  液溜部
１８  ：  欠損壁部
２０  ：  蓋体
２１  ：  装飾天板
２２  ：  嵌合リブ
２３  ：  キャラクター
２３Ａ：  カートリッジ
２３ａ：  凸片
２３ｂ：  輪郭壁
２３ｃ：  外枠
２４  ：  縁取り部
２５  ：  周辺部
２５ａ：  内縁
２５ｂ：  内領域
３０  ：  ジョイント
３１  ：  一方の連結端
３２  ：  他方の連結端
Ａ    ：  注出ノズル
Ｌ    ：  内容液
【図１】
0006504563.tif 000002
【図２】
0006504563.tif 000003
【図３】
0006504563.tif 000004
【図４】
0006504563.tif 000005